(57)【要約】【課題】  静止画、動画、音声のうち少なくともひとつのデータを記録した際に、そのときの使用者の状況をあわせて記録する。【解決手段】  静止画、動画、音声のうち少なくともひとつのデータを記録するデータ記録手段１０１と、使用者の動きを検出する動き検出手段１０２と、計時手段１０３と、前記データ記録手段で記録されたデータと前記動き検出手段で検出された使用者の動きデータとを各々のデータに対応して前記計時手段で測定された時間とともに記憶するデータ記憶手段１０４と、前記データ記憶手段の内容を表示するなどの処理をおこなうデータ処理手段１０６とを備えることにより、静止画、動画や音声を使用者の動きと時間的に関連付けて記録する。【選択図】  図１
2005072751.tif 000002
【特許請求の範囲】
【請求項１】
静止画、動画、音声のうち少なくともひとつのデータを記録するデータ記録手段と、使用者の動きを検出する動き検出手段と、計時手段と、前記データ記録手段で記録されたデータと前記動き検出手段で検出された使用者の動きデータとを各々のデータに対応して前記計時手段で測定された時間とともに記憶するデータ記憶手段と、前記データ記憶手段の内容を表示するなどの処理をおこなうデータ処理手段とを備えた記録作成支援装置。
【請求項２】
動き検出手段は、使用者の歩数を検出する構成とした請求項１記載の記録作成支援装置。
【請求項３】
動き検出手段は、あらかじめ設定された使用者の歩幅と使用者の歩数とから使用者の移動距離を算出する構成とした請求項２記載の記録作成支援装置。
【請求項４】
動き検出手段は、使用者の歩行や動作に伴う加速度を検出する構成とした請求項１記載の記録作成支援装置。
【請求項５】
動き検出手段は、使用者の歩行や動作に伴う加速度を検出し、この加速度に基づいて使用者の移動距離を算出する構成とした請求項１記載の記録作成支援装置。
【請求項６】
動き検出手段は、使用者の歩行や動作に伴う加速度を検出し、この加速度に基づいて使用者の移動経路を算出する構成とした請求項１記載の記録作成支援装置。
【請求項７】
動き検出手段は、使用者が利用する自動車や自転車の車輪の回転等から算出される移動距離を検出する構成とした請求項１記載の記録作成支援装置。
【請求項８】
動き検出手段は、使用者が利用する自動車や自転車の車輪の回転等から算出される時間当たりの移動距離を検出して移動速度を算出する構成とした請求項１記載の記録作成支援装置。
【請求項９】
動き検出手段は、使用者の位置する気圧を検出し、それを高度換算する構成とした請求項１記載の記録作成支援装置。
【請求項１０】
データ処理手段は、ネットワーク手段を介してサーバと、データ記憶手段の内容を前記サーバに送信するデータ送信手段とを備え、前記サーバは、受信したデータを記憶する受信データ記憶手段と、受信したデータを加工するデータ加工手段とを設けた請求項１〜９のいずれか一項に記載の記録作成支援装置。
【請求項１１】
データ記憶手段は、データ記録手段に対応する第一のデータ記憶手段と、動き検出手段に対応する第二のデータ記憶手段とで構成した請求項１〜１０のいずれか一項に記載の記録作成支援装置。
【請求項１２】
計時手段は、データ記録手段に対応する第一の計時手段と、動き検出手段に対応する第二の計時手段とで構成した請求項１〜１１のいずれか一項に記載の記録作成支援装置。
【請求項１３】
計時手段は、時刻を測定する時計手段とし、データ記憶手段で記憶する時間は前記時計手段で測定された時刻とした請求項１〜１２のいずれか一項に記載の記録作成支援装置。
【請求項１４】
計時手段は、時間の経過を計測する経過時間測定手段とし、データ記憶手段で記憶する時間は前記経過時間測定手段で測定された経過時間とし、サーバは時刻を測定する時計手段を備え、データ加工手段は、前記時計手段により計測される前記データ記憶手段から前記サーバにデータが送信された時刻と、その略同時刻において前記経過時間測定手段により測定された経過時間に基づいてデータ記憶手段に記憶されたデータの時刻を算出して受信データ記憶手段に記憶する構成とした請求項１０〜１２のいずれか一項に記載の記録作成支援装置。
【請求項１５】
請求項１〜１４のいずれか一項記載の記録作成支援装置の少なくとも一部をコンピュータに実行させるプログラム。
【発明の詳細な説明】
【技術分野】
【０００１】
本発明は、静止画、動画、音声のうち少なくともひとつのデータの記録作成を支援する記録作成支援装置に関するものである。
【背景技術】
【０００２】
従来、この種の記録作成支援装置は、例えば図９のようなものがある（例えば、特許文献１参照）。
【０００３】
図９は特許文献１に記載された従来の記録作成支援装置を示すものである。図９に示すように、写真を撮影するデジタルカメラ１と、撮影された写真を保存するためのパーソナルコンピュータなどにインストールされたアルバムプログラム２と、使用者がデジタルカメラ１で写真を撮影したときの場所を検出するための位置データ検出手段３とから構成されている。
【特許文献１】特開２００１−２６８４９０号公報
【発明の開示】
【発明が解決しようとする課題】
【０００４】
しかしながら、前記従来の構成では、撮影した写真をどこで撮影されたものかはわかるようになるが、使用者がどのような状況において撮影したものであるかという情報は得られないので、記録を作成するという観点からは一部の解決手段しか提供できないという課題を有していた。
【０００５】
本発明は、前記従来の課題を解決するもので、静止画、動画、音声のうち少なくともひとつのデータを記録した際に、そのときの使用者の状況をあわせて記録し、よりきめ細かい記録を残すことができるようにした記録作成支援装置を提供することを目的とする。
【課題を解決するための手段】
【０００６】
前記従来の課題を解決するために、本発明の記録作成支援装置は、使用者の動きを検出する動き検出手段と計時手段とを備え、使用者の動きの経過を静止画や動画や音声と関連付けて記憶する構成としたものである。
【０００７】
これによって、使用者の行動に伴う動きが経時的に記録され、それに対応したかたちで静止画、動画や音声が記録される。
【発明の効果】
【０００８】
本発明の記録作成支援装置は、使用者の行動に伴う動きと、静止画、動画、音声のデータを関連付けて記憶できるので、使用者の体験に即した心理的に印象に残る記録を簡単に作成することができる。
【発明を実施するための最良の形態】
【０００９】
第１の発明は、静止画、動画、音声のうち少なくともひとつのデータを記録するデータ記録手段と、使用者の動きを検出する動き検出手段と、計時手段と、前記データ記録手段で記録されたデータと前記動き検出手段で検出された使用者の動きデータとを各々のデータに対応して前記計時手段で測定された時間とともに記憶するデータ記憶手段と、前記データ記憶手段の内容を表示するなどの処理をおこなうデータ処理手段とを備えることにより、静止画、動画や音声を使用者の動きと時間的に関連付けて記録でき、使用者の体験に即したよりきめ細かい記録を残すことが可能となる。
【００１０】
第２の発明は、特に、第１の発明の動き検出手段を、歩数を検出する構成とすることにより、使用者の移動行動の基本となる歩行のパターンと、記録した静止画、動画、音声とを関連付けて記録するので、心理的に印象に残る効果の高い記録を作成する支援が簡易な構成で可能となる。
【００１１】
第３の発明は、特に、第２の発明の動き検出手段を、あらかじめ設定された使用者の歩幅と使用者の歩数とから使用者の移動距離を算出する構成とすることにより、旅行やハイキングなどで歩いた旅程と、記録した静止画、動画、音声とを関連付けることが容易に可能になる。
【００１２】
第４の発明は、特に、第１の発明の動き検出手段を、使用者の歩行や動作に伴う加速度を検出する構成とすることにより、使用者の歩行や動作に伴う加速度を検出し、その経時変化を記憶する構成として使用者の動きによって生じる加速度の変化パターンが、記録した静止画、動画、音声と関連付けられるので、スポーツや特殊な遊具などに伴う特殊な動きについての情報も記憶され、心理的に印象づけられた体験との関連で、きめ細かい記録を作成する支援が可能になる。
【００１３】
第５の発明は、特に、第１の発明の動き検出手段を、使用者の歩行や動作に伴う加速度を検出し、この加速度に基づいて使用者の移動距離を算出する構成とすることにより、使用者の動きによって生じる加速度を積分して旅行やハイキングなどで歩いた旅程などを算出できるので、記録した静止画、動画、音声とを関連付けることが容易に可能になる。
【００１４】
第６の発明は、特に、第１の発明の動き検出手段を、使用者の歩行や動作に伴う加速度を検出し、この加速度に基づいて使用者の移動経路を算出する構成とすることにより、使用者の動きによって生じる加速度を積分して移動経路そのものを算出するので、地図情報と記録した静止画、動画、音声とが関連付けられるなど、さらにきめ細かい記録を作成する支援がおこなえる。
【００１５】
第７の発明は、特に、第１の発明の動き検出手段を、使用者が利用する自動車や自転車の車輪の回転等から算出される移動距離を検出する構成とすることにより、乗り物による旅程と記録した静止画、動画、音声と関連付けられるので、乗り物による移動において、容易に記録作成を支援することが可能となる。
【００１６】
第８の発明は、特に、第１の発明の動き検出手段を、使用者が利用する自動車や自転車の車輪の回転等から算出される時間当たりの移動距離を検出して移動速度を算出する構成とすることにより、乗り物の速度の経時変化と、記録した静止画、動画、音声とを関連付けることが容易にできるため、ドライブやサイクリングの状況と照らし合わせて、心理的に印象深い記録を作成する支援が可能になる。
【００１７】
第９の発明は、特に、第１の発明の動き検出手段を、使用者の位置する気圧を検出し、それを高度換算する構成とすることにより、使用者が登山や山岳サイクリングなどで高度の情報が重要な場合に、その経時変化などの情報と、静止画、動画、音声とを関連付けることができ、心理的に印象深い記録を作成する支援が可能になる。
【００１８】
第１０の発明は、特に、第１〜９のいずれか１つの発明のデータ処理手段を、ネットワーク手段を介してサーバと、データ記憶手段の内容を前記サーバに送信するデータ送信手段とを備え、前記サーバは、受信したデータを記憶する受信データ記憶手段と、受信したデータを加工するデータ加工手段とを設けたことにより、サーバの記憶装置を使えるので、データ記憶手段の制約が緩和されることや、サービス側でのアプリケーションプログラムの改変で、より使いやすくしたり、新たな機能を付加できることに加え、サーバ上の他の使用者の情報や、インターネットなどのネットワーク上にある他の情報と連動させて、より心理的に印象度が高まるような記録を作成する支援がおこなえるという効果がある。
【００１９】
第１１の発明は、特に、第１〜１０のいずれか１つの発明のデータ記憶手段を、データ記録手段に対応する第一のデータ記憶手段と、動き検出手段に対応する第二のデータ記憶手段とで構成することにより、静止画、動画、音声のデータと、動き検出手段による使用者の動きデータとの記憶部分を分離し、それぞれデータ記録手段と動き検出手段に対応するので、融通性の高い構成要素の組み合わせが可能となる。
【００２０】
第１２の発明は、特に、第１〜１１のいずれか１つの発明の計時手段を、データ記録手段に対応する第一の計時手段と、動き検出手段に対応する第二の計時手段とで構成することにより、静止画、動画、音声のデータと、動き検出手段による使用者の動きデータとの計時部分を分離し、それぞれデータ記録手段と動き検出手段に対応するので、融通性の高い構成要素の組み合わせが可能となる。
【００２１】
第１３の発明は、特に、第１〜１２のいずれか１つの発明の計時手段を、時刻を測定する時計手段とし、データ記憶手段で記憶する時間は前記時計手段で測定された時刻とすることにより、時刻を推定したり修正したりする処理が不要になるという効果がある。
【００２２】
第１４の発明は、特に、第１０〜１２のいずれか１つの発明の計時手段を、時間の経過を計測する経過時間測定手段とし、データ記憶手段で記憶する時間は前記経過時間測定手段で測定された経過時間とし、サーバは時刻を測定する時計手段を備え、前記時計手段により計測される前記データ記憶手段から前記サーバにデータが送信された時刻と、その略同時刻において前記経過時間測定手段により測定された経過時間に基づいてデータ記憶手段に記憶されたデータの時刻を算出して受信データ記憶手段に記憶する構成とすることにより、よく管理されたサーバの時計手段による時刻に基づいてデータ記憶手段の時刻データが確定されるので、使用者側で時計の誤差を心配しなくてもよく、また、電池交換などで時刻が初期化されてしまった場合に時刻合わせをするというような煩わしさも発生しないことに加え、計時手段が第一の計時手段と第二の計時手段に分離されている場合には特に、静止画、動画、音声のデータと、動き検出手段による使用者の動きデータとの時間的な整合がとれるというきわめて顕著な効果が得られる。
【００２３】
第１５の発明は、特に、第１〜１４のいずれか１つの発明の記録作成支援装置の少なくとも一部をコンピュータに実行させるプログラムとすることにより、パソコンなどで容易に実現することができ、そのプログラムを記録した記録媒体を用いることでソフトウェアを各利用者の家庭でインストールする作業も容易になる。
【００２４】
以下、本発明の実施の形態について、図面を参照しながら説明する。なお、この実施の形態によって本発明が限定されるものではない。
【００２５】
（実施の形態１）
図１は本発明の第１の実施の形態における記録作成支援装置の構成を示す図である。
【００２６】
図１において、デジタルカメラ１内に、データ記録手段としての撮像手段１０１、動き検出手段としての歩数検出手段１０２、計時手段としての時計手段１０３、前記撮像手段１０１と歩数検出手段１０２と時計手段１０３からの出力を記憶するデータ記憶手段１０４を設けている。パーソナルコンピュータ１０５は、デジタルカメラ１のデータ記憶手段１０４の内容を処理するデータ処理手段１０６、この処理結果を表示する表示手段１０７、使用者の操作を入力する入力手段１０８を有している。
【００２７】
以上のように構成された記録作成支援装置について、以下その動作、作用を説明する。
【００２８】
まず、使用者が携帯するデジタルカメラ１は、使用者が歩行する間、歩数検出手段１０２により、歩数を検出している。そして、この歩数検出手段１０２は予め設定された時間間隔で、時計手段１０３の計時を用いて、データ記憶手段１０４にその時間間隔内の歩数と、記憶する時点での時刻とを組にして記憶する。また、使用者が写真を撮ると、撮像手段１０１により写真データが生成され、時計手段１０３で計時される撮影時刻を写真データと組にして、データ記憶手段１０４に記憶する。
【００２９】
図２は、データ記憶手段１０４の記憶内容を示し、ここでは、使用者の３０分間の歩数が時刻とともに記録され、それとは独立に写真データがそれぞれの撮影時刻とともに記憶される。
【００３０】
次に、デジタルカメラ１のデータ記憶手段１０４に記憶された歩数と写真とをパーソナルコンピュータ１０５で処理する。ここではデータをやりとりする一般的なインタフェースを用いて、デジタルカメラ１のデータをパーソナルコンピュータ１０５のデータ処理手段１０６に転送する。
【００３１】
図３はデータ処理手段１０６で処理されて、表示手段１０７により、パーソナルコンピュータ１０５のディスプレイ装置に表示された表示画面である。ここでデータ処理手段１０６によっておこなわれている処理は、得られた歩数のデータを時系列にグラフ化し、その該当する時刻の横に撮影された写真を撮影時刻とともに表示している。また、使用者がキーボードやポインティングデバイスなどの入力手段１０８を用いて入力した写真に関するメモも併記している。
【００３２】
以上のように本実施の形態においては、撮像手段１０１と歩数検出手段１０２とのデータを、時計手段１０３による時刻とともにデータ記憶手段１０４に記憶するデジタルカメラ１と、データ記憶手段１０４の記憶内容を転送してデータ処理手段１０６で処理し、表示するなどするパーソナルコンピュータ１０５とすることにより、写真データと歩数データとを時刻で関連付けて表示したり、加工したりするので、使用者の体験に即した心理的に印象に残る記録を簡単に作成することができる。
【００３３】
また、本実施の形態のデジタルカメラ１のかわりにデジタルビデオカメラとして動画と音声を記録し、歩数と関連付けた記録をパーソナルコンピュータ１０５で作成することにより、動画と音声を記録を同様に簡単に作成することができる。
【００３４】
また、本実施の形態では、メモをパーソナルコンピュータ１０５の入力手段１０８を用いて入力するかわりに、デジタルカメラ１に入力手段を設けてデータ記憶手段１０４に記憶しておいてもよい。
【００３５】
また、本実施の形態の歩数検出手段１０２で検出した歩数にデータ処理手段１０６にて使用者の歩幅を乗じ、距離を算出して表示することによって、旅程を印象付けるという効果も得られる。
【００３６】
また、本実施の形態では、動き検出手段として歩数検出手段１０２を用いているが、使用者の動きによって生じる加速度を検出する手段とすることによって、その加速度を積分して移動距離や移動経路を求めることができ、より多くの情報が盛り込まれた記録を作成することができる。
【００３７】
なお、本実施の形態では記録作成支援装置をデジタルカメラ１とパーソナルコンピュータ１０５とに分けて２つの機器で説明したがこれを一つの機器にまとめた構成としてもよい。
【００３８】
（実施の形態２）
図４は本発明の第２の実施の形態における記録作成支援装置の構成を示す図である。
【００３９】
携帯電話４０１に、静止画および動画を記録するデータ記録手段としての撮像手段４０２と、第一の計時手段としての第一の経過時間測定手段４０３と、第一のデータ記憶手段４０４と、データ送信手段４０５を設けている。自転車に装着してサイクリング時の走行距離と高度を測定する走行距離・高度計４０６には、動き検出手段としての走行距離検出手段４０７および高度検出手段４０８と、第二の計時手段としての第二の経過時間測定手段４０９と、第二のデータ記憶手段４１０を設けている。携帯電話４０１のデータ送信手段４０５は、ネットワーク手段４１１を介してサーバ４１２と接続され、このサーバ４１２には携帯電話４０１から送信されてくるデータを記憶する受信データ記憶手段４１３と、そのデータの測定時刻を求めるための時計手段４１４とデータ加工手段としてのデータ時刻整合手段４１５とが設けられている。さらに、ネットワーク手段４１１を介してパーソナルコンピュータ１０５には、データ処理手段の一部としての処理プログラム４１６と、表示手段１０７と、入力手段１０８とを備えている。
【００４０】
以上のように構成された記録作成支援装置について、以下その動作、作用を説明する。
【００４１】
まず、自転車に装着された走行距離・高度計４０６は、車輪の回転数を検出して使用者が自転車で走行する間、走行距離検出手段４０７により、その走行距離を検出している。同時に高度検出手段４０８は、気圧を測定して高度を検出している。そして、この走行距離検出手段４０７と高度検出手段４０８は、予め設定された時間間隔で、第二の経過時間測定手段４０９の計時を用いて、第二のデータ記憶手段４１０にその時間間隔内の走行距離および記憶する時点での高度と第二の経過時間測定手段４０９による経過時間とをひと組にして記憶する。
【００４２】
図５は、第二のデータ記憶手段４１０の記憶内容を示し、ここでは、自転車での３０分間の走行距離とそのときの高度が経過時間とともに記録されている。
【００４３】
また、使用者が休憩時などに携帯電話４０１を使って写真を撮ると、撮像手段４０２により写真データが生成され、第一の経過時間測定手段４０３で計時される経過時間を写真データと組にして、第一のデータ記憶手段４０４に記憶する。
【００４４】
図６は、第一のデータ記憶手段４０４の記憶内容を示し、写真データと、撮影した時点の第一の経過時間測定手段４０３による経過時間とが記憶されている。
【００４５】
このように、携帯電話４０１と走行距離・高度計４０６に記憶された写真データと走行距離および高度のデータは、走行距離・高度計４０６を携帯電話４０１に接続した後、ネットワーク手段４１１を介してサーバ４１２に携帯電話４０１が接続され、データ送信手段４０５が第一のデータ記憶手段４０４と第二のデータ記憶手段４１０の内容をサーバ４１２の受信データ記憶手段４１３に送信する。ここで送信されたデータが受信データ記憶手段４１３に記憶される際、データ時刻整合手段４１５は時計手段４１４を用いて、経過時間を時刻に変換してから受信データ記憶手段に記憶される。経過時間を時刻に変換する方法としては、データ送信手段４０５がデータを送信するときに第一の経過時間測定手段４０３と第二の経過時間測定手段４０９の計時結果を第一のデータ記憶手段４０４と第二のデータ記憶手段４１０の内容に付加してサーバ４１２に送信し、これらの計時結果とサーバ４１２の時計手段４１４とを照合することによって、写真データと走行距離および高度のデータの経過時間から実時刻を逆算し、整合させる。図７は、このようにして整合された受信データ記憶手段４１３の記憶内容を示している。
【００４６】
次に、サーバ４１２にパーソナルコンピュータ１０５をネットワーク手段４１１を介して接続し、受信データ記憶手段４１３の内容を取得して、処理プログラム４１６を用いてデータのグラフ化や写真をレイアウトするなどし、表示手段１０７に表示させる。
【００４７】
図８は表示画面の一例であり、走行距離を横軸にとり、標高を縦軸にとって到達時刻でプロットしたグラフを表示している。さらに、走行距離の軸に対応させて写真データを上部に表示している。他には、入力手段１０８を用いて表題を入力したり、写真の説明を入力するなども可能である。
【００４８】
なお、第一の経過時間測定手段４０３および第二の経過時間測定手段４０９は、連続して経過時間を測定するので、計時の上限値に達すると初期値の０に戻る。したがって、適当なタイミング、たとえばデータ送信手段４０５によってサーバ４１２にデータを送信したときにリセットするなどの処理をする。あるいはリセット処理をしない場合に、計時の上限値まで到達すると、データの途中で経過時間が初期値に戻るが、一回の送信データの範囲内で第一の経過時間測定手段４０３または第二の経過時間測定手段４０９の計時が初期値に戻っている場合には、初期値に戻った後のデータについて計時の上限値を加えて時刻を整合させるなどの処理をおこなう。
【００４９】
以上のように本実施の形態においては、走行距離検出手段４０７と高度検出手段４０８のデータを第二の経過時間測定手段４０９の計時とともに第二のデータ記憶手段４１０に記憶する走行距離・高度計４０６と、撮像手段４０２のデータを第一の経過時間測定手段４０３の計時とともに第一のデータ記憶手段４０４に記憶し、さらにこの記憶内容と第二のデータ記憶手段４１０の記憶内容をネットワーク手段４１１を介してデータ送信手段４０５によりサーバ４１２にデータを送信する携帯電話４０１と、受信したデータを時計手段４１４の計時によりデータ時刻整合手段４１５で整合させて受信データ記憶手段４１３に記憶するサーバ４１２と、受信データ記憶手段４１３の記憶内容をネットワーク手段４１１を介して取得し、処理プログラム４１６でグラフ化処理して表示するなどするパーソナルコンピュータ１０５とすることにより、写真データと走行距離および高度のデータとを時刻で関連付けて表示したり、加工したりするので、使用者の体験に即した心理的に印象に残る記録を簡単に作成することができる。
【００５０】
また、携帯電話４０１と走行距離・高度計４０６は実時刻を計時せずに経過時間だけ測定しておいて、サーバ４１２の時計手段４１４によってデータを送信した時刻によって整合させる構成なので、各々で測定したデータの実時刻が結果的に正確に保つことができる。さらに、使用者側にあるもので時刻合わせをすることが不要なので、使い勝手が極めてよい。この方法は、複数の構成機器で時間管理をする場合、各々で時刻合わせをする必要がなく、データの信頼性と使い勝手向上の面から有効である。
【００５１】
また、本実施の形態では、自転車の走行距離としたが、自動車の走行距離や歩行距離としてもよい。
【００５２】
また、本実施の形態では、処理プログラム４１６をパーソナルコンピュータ１０５に設けたが、サーバ４１２に設けることによって、改良が容易になり、使用者に迅速な対応をすることが可能になる。
【００５３】
なお、本実施の形態では記録作成支援装置を携帯電話４０１と走行距離・高度計４０６とパーソナルコンピュータ１０５とに分けて３つの機器で説明したがこれを一つまたは二つの機器にまとめた構成としてもよい。
【００５４】
さらに、データ加工手段はデータ時刻整合手段４１５として、データの測定時刻を算出するというデータの加工をおこなう例を説明したが、受信した写真データが特定の書式におさまるように画像サイズを改変したり、複製を作ったり、サーバ４１２に記憶する容量を調整するために写真データを圧縮するなど、サーバ４１２に記憶するデータへのさまざまな操作をおこなわせてもよい。
【産業上の利用可能性】
【００５５】
以上のように、本発明にかかる記録作成支援装置は、使用者の動きを検出する動き検出手段と計時手段とを備え、使用者の行動に伴う動きと、静止画、動画、音声のデータを関連付けて記憶できる機能を有し、旅行などで記録した写真などの記録作成を支援するサービスや健康を支援するサービス等として有用である。
【図面の簡単な説明】
【００５６】
【図１】本発明の実施の形態１における記録作成支援装置の構成図
【図２】同データ記憶手段の内容を示した図
【図３】同データ処理手段による処理結果の表示画面の一例図
【図４】本発明の実施の形態２における記録作成支援装置の構成図
【図５】同第二のデータ記憶手段の内容を示した図
【図６】同第一のデータ記憶手段の内容を示した図
【図７】同受信データ記憶手段の内容を示した図
【図８】同処理プログラムによる処理結果の表示画面の一例図
【図９】従来の記録作成支援装置の構成図
【符号の説明】
【００５７】
１０１  データ記録手段としての撮像手段
１０２  動き検出手段としての歩数計
１０３  計時手段としての時計手段
１０４  データ記憶手段
１０６  データ処理手段
４０３  第一の経過時間測定手段（第一の計時手段）
４０４  第一のデータ記憶手段
４０５  データ送信手段
４０９  第二の経過時間測定手段（第二の計時手段）
４１０  第二のデータ記憶手段
４１３  受信データ記憶手段
４１４  サーバが備える計時手段
４１５  データ加工手段としてのデータ時刻整合手段
【図１】
2005072751.tif 000003
【図２】
2005072751.tif 000004
【図３】
2005072751.tif 000005
【図４】
2005072751.tif 000006
【図５】
2005072751.tif 000007
【図６】
2005072751.tif 000008
【図７】
2005072751.tif 000009
【図８】
2005072751.tif 000010
【図９】
2005072751.tif 000011